(57)【要約】【課題】不意に吊りワイヤが緩んだ場合であっても、吊りワイヤが巻取りドラムの溝から外れないようにする。【解決手段】渦巻きバネ部材２３による付勢力により、上下方向に開閉される可動障子３と力学的平衡関係を保ち、可動障子３の開閉を容易にするとともに、任意の高さ位置に停止可能とする上げ下げ窓１用バランサー装置５において、巻取りドラム２４外面にドラムカバー材６を設けるとともに、前記巻取りドラム２４に形成されたワイヤ巻取り溝２４ａ間の頂部２４ｂと、前記ドラムカバー材６の内面６ｆとの間隙Ｓを、前記吊りワイヤ３２の径Ｄより狭く形成することにより、前記吊りワイヤ３２が巻取りドラム２４の溝から外れるのを防止する。【選択図】  図６
2004332320.tif 000002
【特許請求の範囲】
【請求項１】
支軸と、この支軸により回動自在に支持されるとともに、可動障子を吊持する吊索を、周面に螺旋状に形成された巻取り溝に巻き取る巻取りドラムと、前記支軸に内方端が係止されるとともに、前記巻取りドラムに外方端が係止された渦巻きバネ部材とを備え、前記渦巻きバネ部材による付勢力により、上下方向に開閉される可動障子を力学的平衡関係を保ちながら吊持する上げ下げ窓用バランサー装置において、
前記巻取りドラムの外面にドラムカバー材を設けるとともに、前記巻取りドラムに形成されたワイヤ巻取り溝間の頂部と、前記ドラムカバー材内面との間隙を、前記吊索の径より狭く形成することにより、前記吊索が巻取りドラムの巻取り溝から外れるのを防止したことを特徴とする上げ下げ窓用バランサー装置。
【請求項２】
前記ドラムカバー材は、巻取りドラムの外形状に合わせて内面が略截頭円錐状に形成されるとともに、側部に前記吊索を下げ降ろすための開口部が形成された部材である請求項１記載の上げ下げ窓用バランサー装置。
【発明の詳細な説明】
【０００１】
【発明の属する技術分野】
本発明は、渦巻きバネ材による上方向の付勢力により、上下方向に開閉自在とされる可動障子と力学的平衡関係を保つための上げ下げ窓のバランサー装置に関する。
【０００２】
【従来の技術】
従来より、上下方向に開閉される可動障子を備えた上げ下げ窓では、前記可動障子を僅かな力で簡単に上下動させるようにするとともに、任意の開位置で停止可能とするために、渦巻きバネによる回転方向の付勢力を利用して、障子を吊持しているワイヤを巻取っているドラムに巻き上げ方向の力を与え、障子重量と釣り合う平衡力を作用させるようにしたバランサー装置が知られている。
【０００３】
例えば、下記特許文献１には、図７に示されるように、支軸５１と、この支軸５１により回動自在に支持されるとともに、可動障子を吊持する吊りワイヤー５４を、周面に螺旋状に形成された巻取り溝５２ａに巻き取る巻取りドラム５２と、前記支軸５１に内方端が係止されるとともに、前記巻取りドラム５２に外方端が係止された渦巻きバネ部材５３とを備え、前記渦巻きバネ部材５３による付勢力により、上下方向に開閉される可動障子と力学的平衡関係を保ち、該可動障子の開閉を容易にするとともに、任意の高さ位置に停止可能とする上げ下げ窓用バランサー装置５０が開示されている。
【０００４】
【特許文献１】
特開２００２−８１２５９号公報
【０００５】
【発明が解決しようとする課題】
しかしながら、前記バランサー装置５０を含めた従来のバランサー装置では、例えば巻取りドラムの巻取り速度より速く可動障子を上昇させた場合や、渦巻きバネの調整時において、渦巻きバネの付勢力が効いていないフリーの状態や付勢力が少ない状態時に可動障子を上昇させた場合には、吊りワイヤ５４が緩んで巻取りドラム５２のワイヤ巻取り溝５２ａから抜け出し巻取りドラム５２から外れてしまうことがあった。
【０００６】
そこで、本発明の主たる課題は、不意に吊索が緩んだ場合であっても、決して巻取りドラムの溝から外れないようにした上げ下げ窓用のバランサー装置を提供することにある。
【０００７】
【課題を解決するための手段】
前記課題を解決するための請求項１に係る本発明として、支軸と、この支軸により回動自在に支持されるとともに、可動障子を吊持する吊索を、周面に螺旋状に形成された巻取り溝に巻き取る巻取りドラムと、前記支軸に内方端が係止されるとともに、前記巻取りドラムに外方端が係止された渦巻きバネ部材とを備え、前記渦巻きバネ部材による付勢力により、上下方向に開閉される可動障子を力学的平衡関係を保ちながら吊持する上げ下げ窓用バランサー装置において、
前記巻取りドラムの外面にドラムカバー材を設けるとともに、前記巻取りドラムに形成されたワイヤ巻取り溝間の頂部と、前記ドラムカバー材内面との間隙を、前記吊索の径より狭く形成することにより、前記吊索が巻取りドラムの巻取り溝から外れるのを防止したことを特徴とする上げ下げ窓用バランサー装置が提供される。
【０００８】
上記請求項１記載の本発明においては、巻取りドラムの外面にドラムカバー材を設け、巻取りドラムの外面に形成されたワイヤ巻取り溝間の頂部と前記ドラムカバー材の内面との間隙を吊索の径より狭く形成したので、たとえ吊索が緩んでも、前記ワイヤ巻取り溝間の頂部と前記ドラムカバー材内面との間隙から抜け出すことが無く、巻取りドラムからの外れを完全に防止することができる。
【０００９】
請求項２に係る本発明として、前記ドラムカバー材は、巻取りドラムの外形状に合わせて内面が略截頭円錐状に形成されるとともに、側部に前記吊索を下げ降ろすための開口部が形成された部材である請求項１記載の上げ下げ窓用バランサー装置が提供される。
【００１０】
【発明の実施の形態】
以下、本発明の実施の形態について図面を参照しながら詳述する。
【００１１】
図１は本発明に係るバランサー装置を用いた上げ下げ窓の正面図であり、図２〜図４はそれぞれ前記バランサー装置の正面図、底面図および側面図である。
【００１２】
図示される上げ下げ窓１は、方形枠状に構成された窓枠２の内部に縦枠２Ａ、２Ｂに沿って昇降自在とされる内側障子３と、固定式外側障子４とを備え、前記縦枠２Ａ、２Ｂの上部にバネ式バランサー装置５、５が固定されるとともに、このバランサー装置５から繰り出された吊りワイヤ３２，３２が内側障子３の側部に突出した掛止具３ａ、３ａに掛止され内側障子３を吊持している。前記バランサー装置５は、内設された渦巻きバネにより前記内側障子３の重量と力学的に平衡関係を保ち、前記内側障子３を小さな力で簡単に開閉でき、かつ任意の高さ位置に停止出来るようになっている。なお、前記外側障子４についても同様に、上下方向に開閉自在の可動障子とし、別途設けたバランサー装置５によって吊持することも可能である。
【００１３】
前記バランサー装置５は、詳細には図２〜図４に示されるように、ハウジングを構成する第１ベース板２０および第２ベース板２１と、これら第１および第２ベース板２０、２１によって支持された支軸２２と、前記第１および第２ベース板２０、２１によって挟まれた空間内に配設されるとともに、前記支軸２２を回転軸として回転自在に支持され、内側障子３を吊持している吊りワイヤ３２を周面に螺旋状に形成された巻取り溝２４ａに巻き取っているワイヤ巻取りドラム２４と、前記支軸２２に外嵌して配設されるとともに、内方端が前記支軸２２に係止されるとともに、外方端が前記ワイヤ巻取りドラム２４に掛止された渦巻きバネ２３とからなる装置で、前記支軸２２の回転調整により前記内側障子３の重量と釣り合う上方向力を与えることが出来るようになっている。
【００１４】
以下、さらに具体的に詳述すると、前記第１ベース板２０は、後述のブラケット１１に対する固定のために断面Ｌ字状の板材が用いられ、一方第２ベース板２１は、前記第１ベース板２０の板面に対して離間させるために３本の脚部２１ａ〜２１ｃを備え、前記第１ベース板２０に対して前記脚部２１ａ〜２１ｃの先端面が当接させ、板面を平行的に対面させた状態で平ネジ３６、３６…にて連結されている。
【００１５】
また、前記第１ベース板２０と第２ベース板２１とによって挟まれた空間内には、吊りワイヤ３２を巻き取る溝が螺旋状に形成された巻取りドラム２４が前記支軸２２を回転軸として設けられているとともに、この巻取りドラム２４に連設して一体的にバネケース３５が配設されている。このバネケース３５内には、内方端が前記支軸２２に係止されるとともに、外方端が前記バネケース３５の内壁に掛止された渦巻きバネ２３が内設されている。
【００１６】
一方、前記第２ベース板２１の外面部には、前記支軸２２にラチェット車２５が一体的に固設されているとともに、軸２８によって揺動自在に支持されたクリック２７が設けられている。前記クリック２７は、前記ラチェット車２５側に向けてバネ２６によって付勢され、歯２７ａが前記ラチェット車２５の歯２５ａに係合し、支軸２２を所定の巻き回数位置にて固定可能となっている。すなわち、上げ下げ窓１の建付け時に、前記支軸２２を前記渦巻きバネ２３の巻き方向に回転し、所定の巻き回数位置にて前記支軸２２に固定されたラチェット車２５に対してクリック２７を噛合させることにより、窓建付け時に内側障子３の重量と釣り合う上方向力を導入できるようになっている。
【００１７】
したがって、前記支軸２２の回転操作により、前記渦巻きバネ式バランサー装置５の渦巻きバネ２３に対し内側障子３の重量と釣り合う付勢力を与えておくと、渦巻きバネ２３による上方向付勢力は、内側障子３が昇降位置にあっても内側障子３の重量と釣り合うようになり、任意の障子開位置で停止できるようになるとともに、上下方向に力が均衡しているため僅かの力で内側障子３を開閉操作できるようになる。
【００１８】
また、前記支軸２２には、支軸２２の回転に伴って回転するとともに、周縁に係合歯２９ａが形成された計数用間欠ギア部材２９が外嵌されている。また、前記支軸２２の隣接位置には、軸３０によって第２ベース板２１に回転自在に支持され、周縁に前記計数用間欠ギア部材２９の係合歯２９ａが一回転周期毎に係合する係合歯３１ａ、３１ａ…が形成されるとともに、１係合毎に１歯分だけ回転される歯車状の計数用回転板３１が設けられており、図示の例では、前記係合歯３１ａ、３１ａ…に対して前記支軸２２の巻き回数を計数する指標数字（１，３，５…）が表示されているとともに、計数位置に目印３３が設けられている。
【００１９】
なお、前記バランサー装置５は、縦枠２Ａ、２Ｂまたは上枠に対し直接取り付けることもできるが、本例では前記縦枠２Ａ、２Ｂに対しスペーサ１０を間に介して固定ネジ１２，１２によって固定されたブラケット１１に対し取付けされている。
【００２０】
以上詳述したバランサー装置５の構造は公知のものであり、上げ下げ窓や上下開閉式キャビンなどに対して従来より使用されているものである。
【００２１】
本バランサー装置５では、前記巻取りドラム２４の外面にドラムカバー材６を設け、吊りワイヤ３２が巻取りドラム２４の巻取り溝２４ａから外れるのを防止するようにしている。前記ドラムカバー材６は、詳細には、図５に示されるように、前記巻取りドラム２４の外形状に合わせて内面６ｆが略截頭円錐状に形成された部材であり、側部には前記吊りワイヤー３２を下げ降ろすための開口部６ｅが形成されている。また、中心部には軸挿通孔６ａが形成され支軸２２が挿通されるようになっているとともに、外周部には３つのカバー材取付孔６ｂ〜６ｄが形成され、図２等に示されるように、巻取りドラム２４の外面を覆うように設置され、第２ベース板部２１の外面側から挿通された取付ネジ３４，３４を前記カバー材取付孔６ｂ〜６ｄに螺入させることにより固定される。
【００２２】
前記ドラムカバー材６を設置した状態では、図６に示されるように、巻取りドラム２４に形成されたワイヤ巻取り溝２４ａ間の頂部２４ｂと、前記ドラムカバー材６の内面６ｆとの間隙Ｓが、前記ワイヤ巻取り溝２４ａに巻き取られる吊りワイヤ３２の径Ｄより狭くなるように設定されており、吊りワイヤ３２が緩んで前記ワイヤ巻取り溝２４ａから抜け出そうとしても、前記ワイヤ巻取り溝２４ａ間の頂部２４ｂとドラムカバー材６との間隙から抜け出すことができず、巻取り溝２４ａから絶対に外れないようになっている。
【００２３】
【発明の効果】
以上詳説のとおり本発明によれば、不意に吊索が緩んだ場合であっても、吊索が巻取りドラムの溝から外れるのを防止できるようになる。
【図面の簡単な説明】
【図１】本発明に係るバランサー装置を用いた上げ下げ窓の正面図である。
【図２】本発明に係るバランサー装置の正面図である。
【図３】その底面図（図２のＩＩＩ−ＩＩＩ線矢視）である。
【図４】その側面図（図２のＩＶ−ＩＶ線矢視）である。
【図５】ドラムカバー材６を示す、（Ａ）は正面図、（Ｂ）は右側面図、（Ｃ）は底面図である。
【図６】ドラムカバー材６の設置状態のワイヤ巻取り溝２４ａ部分の詳細図である。
【図７】従来のバランサー装置５０の側面図である。
【符号の説明】
１…上げ下げ窓、２Ａ・２Ｂ…縦枠、３…内側障子、４…外側障子、５…バランサー装置、６…ドラムカバー材、２０…第１ベース板、２１…第２ベース板、２２…支軸、２３…渦巻きバネ、２４…巻取りドラム、２４ａ…ワイヤ巻取り溝、２５…ラチェット車、２７…クリック、２９…計数用ギア部材、３１…計数用回転板、３２…吊りワイヤ
【図１】
2004332320.tif 000003
【図２】
2004332320.tif 000004
【図３】
2004332320.tif 000005
【図４】
2004332320.tif 000006
【図５】
2004332320.tif 000007
【図６】
2004332320.tif 000008
【図７】
2004332320.tif 000009